(57)【要約】【課題】経年変化によっても、記録媒体を確実に機器本体に出し入れすることを可能とする情報処理装置を提供する。【解決手段】ＣＤプレーヤはディスク検知機構７を備えている。ディスク検知機構７は一対のレバー部材１７とレバー部材１７に設けられかつＣＤ２の外縁に接触する検知ピン１８とレバー部材１７の移動方向を案内する案内機構１９を備えている。案内機構１９は奥側案内部２５と外側案内部２６を備えている。奥側案内部２５は機器本体３に挿入されるＣＤ２によって押圧された検知ピン１８を一対のレバー部材１７が互いに離れるのにしたがって機器本体３の奥に向かって案内する。外側案内部２６は機器本体３外に排出されるＣＤ２によって押圧された検知ピン１８を一対のレバー部材１７が互いに離れるのにしたがって機器本体３の外側に向かって案内する。【選択図】図３
2009295258.tif 000002
【特許請求の範囲】
【請求項１】
機器本体に互いに接離自在に設けられかつ互いに近づく方向に付勢された一対のレバー部材と、
前記レバー部材の各々に設けられかつ前記機器本体内外に搬送される記録媒体の外縁に接触する検知ピンと、
前記レバー部材の移動方向を案内する案内手段と、を備えて、前記記録媒体によって前記検知ピンが押圧されて前記レバー部材が移動することで、前記記録媒体を検知するディスク検知機構を備えた情報処理装置において、
前記案内手段は、前記記録媒体が前記機器本体内に挿入されるときと前記機器本体外に排出されるときで前記検知ピンを異なる方向へ案内するとともに、少なくとも前記記録媒体の挿入又は排出のいずれかにおいて、前記記録媒体によって押圧された前記検知ピンを前記一対のレバー部材が互いに離れるにしたがって前記記録媒体の搬送方向に向かって案内することを特徴とする情報処理装置。
【請求項２】
前記案内手段は、前記記録媒体の挿入と排出の両方において、前記記録媒体によって押圧された前記検知ピンを前記一対のレバー部材が互いに離れるにしたがって前記記録媒体の搬送方向に向かって案内することを特徴とする請求項１記載の情報処理装置。
【請求項３】
前記案内手段が、前記機器本体に設けられかつ前記検知ピンが侵入するガイド孔を備えたことを特徴とする請求項１又は請求項２記載の情報処理装置。
【請求項４】
前記案内手段は、前記挿入時に前記検知ピンを案内する挿入ガイド孔と、当該挿入ガイド孔と連なって前記排出時に前記検知ピンを案内する排出ガイド孔とを有し、
前記検知ピンは、前記記録媒体に接触しない際に両者の前記ガイド孔の連結部に位置することを特徴とする請求項３に記載の情報処理装置。
【請求項５】
前記検知ピンが、前記レバー部材の互いに離れた側の一端部に設けられ、
前記案内手段が、前記レバー部材の互いに近づいた側の他端部に設けられたガイドピンと、前記機器本体に設けられかつ前記ガイドピンが侵入するとともに前記記録媒体の搬送方向に対して直交する方向に沿って直線状に延在した第２ガイド孔を備えたことを特徴とする請求項１ないし請求項４のうちいずれか一項に記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
ＣＤ（Compact Disk）やＤＶＤ（Digital Versatile Disc）やＢＤ（Blu-ray Disc）などの記録媒体から情報を読み出す情報処理装置（例えば、特許文献１参照）は、機器本体と、この機器本体に記録媒体を出し入れする搬送手段と、ディスク検知機構と、機器本体内に設けられかつ記録媒体をクランプして当該記録媒体から情報を読み出すクランプ再生手段とを備えている。
【０００３】
搬送手段は、互いに接離自在に設けられ、かつ互いに近づく方向又は離れる方向に付勢されたディスクガイドと、搬送ローラとを備えている。搬送手段は、互いに近づいたディスクガイドと搬送ローラとの間に記録媒体を挟んで、この搬送ローラがモータにより回転駆動されることで、記録媒体を機器本体に出し入れする。
【０００４】
ディスク検知機構は、互いに接離自在な一対のレバー部材と、これらのレバー部材の位置を検知する検知センサとを備えている。一対のレバー部材は、搬送ユニットの近傍に配され、当該搬送ユニットの記録媒体の搬送方向に対して直交する方向に沿って、互いに間隔をあけて配置されている。また、これら一対のレバー部材は、それぞれ、記録媒体の搬送方向に対して直交する方向に沿ってスライド自在に機器本体のシャーシなどに支持されており、互いに近づく方向に付勢されている。
【０００５】
また、一対のレバー部材には、それぞれ、前述した記録媒体の外縁に接触する検知ピンが立設している。レバー部材は、検知ピンに記録媒体が接触して、当該記録媒体から押圧されることで、互いに離れる方向にスライドする。
【０００６】
検知センサは、一対のレバー部材の位置を検知する。検知センサは、レバー部材の位置を検知することで、機器本体内に記録媒体が挿入されたか否かと、機器本体外に記録媒体を排出し終えたか否かを検知する。
【０００７】
クランプ再生手段は、前記記録媒体を回転するために回転テーブルと、前記記録媒体に記録された情報を読み出すための光ピックアップ等を備えている。クランプ再生手段は、前記記録媒体をクランプして、回転テーブルが記録媒体を回転して、光ピックアップが前記記録媒体に記録された情報を読み出す。
【０００８】
前述した情報処理装置は、前記記録媒体が機器本体内に挿入されると、まず、当該記録媒体が検知ピンに接触する。そして、記録媒体は、ディスクガイドと搬送ローラとの間に挟まれる。そして、記録媒体の外縁によって、検知ピンが互いに離れる方向にレバー部材が移動し、このレバー部材が移動したことを検知センサが検知すると、搬送ローラが回転駆動して、当該搬送ローラの回転によって記録媒体が機器本体内に搬送される。
【０００９】
その後、記録媒体が機器本体内に搬送されるのにしたがって、一旦、検知ピンが互いに離れる方向にレバー部材が移動した後、検知ピンが互いに近づく方向にレバー部材が移動する。そして、検知センサが、検知ピンに記録媒体が接触せずに、一対のレバー部材が最も近づいた位置に位置付けられたことを検知すると、搬送ローラが停止し、クランプ再生手段が記録媒体をクランプする。その後、クランプ再生手段の光ピックアップが、記録媒体の情報を読み出して再生する。
【００１０】
また、機器本体内から記録媒体を排出する際には、まず、クランプ再生手段の記録媒体のクランプを解除して、搬送ローラが回転駆動して、当該記録媒体が徐々に機器本体外に向かって排出される。そして、記録媒体が検知ピンに接触して、記録媒体の外縁によって、検知ピンが互いに離れる方向に一旦レバー部材が移動した後、検知ピンが互いに近づく方向にレバー部材が移動する。そして、検知センサが、検知ピンが所定の位置に位置付けられたことを検知すると、搬送ローラが停止する。
【特許文献１】特開２００２−３２９３６１号公報
【発明の開示】
【発明が解決しようとする課題】
【００１１】
前述した従来の情報処理装置は、記録媒体の挿入開始時には検知ピンが一対のレバー部材が互いに離れる方向でかつ機器本体の内側に向かって押圧され、記録媒体の排出開始持には検知ピンが一対のレバー部材が互いに離れる方向でかつ機器本体の外側に向かって押圧される。
【００１２】
情報処理装置は、経年変化により、空気中のゴミや埃がレバー部材に付着すると、レバー部材が移動しにくくなる。前述した情報処理装置は、元々、ディスク検知機構のレバー部材が記録媒体の搬送方向に対して直交する方向に沿って移動自在となっているので、記録媒体の検知ピンを押す力の全てが、互いに離れる方向に一対のレバー部材を移動させるのに作用しないために、前述した経年変化によりレバー部材が移動しにくくなることにより、記録媒体を機器本体内に挿入できなくなったり、記録媒体を機器本体外に排出できなくなることが考えられる。
【００１３】
したがって、本発明の目的は、例えば、経年変化によっても、記録媒体を確実に機器本体に出し入れすることを可能とする情報処理装置を提供することにある。
【課題を解決するための手段】
【００１４】
前記課題を解決し目的を達成するために、請求項１に記載の本発明は、機器本体に互いに接離自在に設けられかつ互いに近づく方向に付勢された一対のレバー部材と、前記レバー部材の各々に設けられかつ前記機器本体内外に搬送される記録媒体の外縁に接触する検知ピンと、前記レバー部材の移動方向を案内する案内手段と、を備えて、前記記録媒体によって前記検知ピンが押圧されて前記レバー部材が移動することで、前記記録媒体を検知するディスク検知機構を備えた情報処理装置において、前記案内手段は、前記記録媒体が前記機器本体内に挿入されるときと前記機器本体外に排出されるときで前記検知ピンを異なる方向へ案内するとともに、少なくとも前記記録媒体の挿入又は排出のいずれかにおいて、前記記録媒体によって押圧された前記検知ピンを前記一対のレバー部材が互いに離れるにしたがって前記記録媒体の搬送方向に向かって案内することを特徴としている。
【発明を実施するための最良の形態】
【００１５】
以下、本発明の一実施形態にかかる情報処理装置を説明する。本発明の一実施形態にかかる情報処理装置は、機器本体内外に記録媒体が搬送される際に、当該記録媒体によって押圧された検知ピンが、一対のレバー部材が互いに離れるのにしたがって、当該検知ピンを異なる方向に案内するとともに少なくとも挿入又は排出のいずれかにおいて記録媒体の搬送方向に向かって移動することを案内する。
【００１６】
こうすることで、本実施形態の情報処理装置は、記録媒体の検知ピンを押す力の方向と、検知ピンが移動する方向とのずれを極力抑制して、記録媒体の検知ピンを押す力が、極力、一対のレバー部材を互いに離れる方向に移動させるのに作用するようにしている。このため、経年変化によって、レバー部材が移動しにくくなっても、記録媒体の挿入又は排出時にスムーズにレバー部材が移動するようにしている。よって、経年変化によっても、記録媒体を確実に機器本体に挿入即ち出し入れすることが可能となる。さらに、記録媒体の挿入または排出の一方の際に検知ピンを押す力の方向と検知ピンが移動する方向とのずれを抑制しても、他方の際には検知ピンが他の方向へと案内されるので、記録媒体の搬送方向に反して検知ピンが案内されることがなく、記録媒体の挿入又は排出の一方の際にレバー部材をスムーズに移動させても他方の際にレバー部材が移動しにくくなることがない。
【００１７】
また、本実施形態の情報処理装置は、案内手段が挿入と排出の両方において、記録媒体によって押圧された前記検知ピンを一対のレバー部材が互いに離れるにしたがって記録媒体の搬送方向に向かって案内するようにしても良い。
【００１８】
こうすることで、本実施形態の情報処理装置は、記録媒体を挿入と搬送のいずれの方向に搬送しても記録媒体の検知ピンを押す力が、極力、一対のレバー部材を互いに離れる方向に移動させるのに作用するようにしている。よって、記録媒体の挿入時と排出時のいずれもスムーズにレバー部材が移動するので、経年変化によりゴミや埃がレバー部材に付着しても、挿入時にユーザが記録媒体を情報処理装置内に押し入れる力が増大したり、排出時に記録媒体を機器本体外に排出できなくなったりすることを防止できる。
【００１９】
この実施形態では、案内手段が、検知ピンが侵入するガイド孔を備えても良い。この場合、ガイド孔を設けるといった簡便な構成によって、検知ピンの移動方向を案内することができる。
【００２０】
さらに、本実施形態では、案内手段は、挿入時に検知ピンを案内する挿入ガイド孔と、当該挿入ガイド孔と連なって前記排出時に検知ピンを案内する排出ガイド孔とを有し、検知ピンは、記録媒体に接触しない際に両者の前記ガイド孔の連結部に位置しても良い。
【００２１】
この場合、記録媒体が検知ピンに接触した際に、その押圧力によって挿入時には挿入用の挿入ガイド孔に、排出時には排出用の排出ガイド孔に検知ピンが入り込むので、例えば検知ピンが挿入時に誤って排出用のガイド孔を移動するという誤動作を防止できる。
【００２２】
また、前述した実施形態では、検知ピンをレバー部材の互いに離れた側の一端部に設け、さらに、案内手段が、レバー部材の互いに近づいた側の他端部に設けられたガイドピンと、当該ガイドピンが侵入するとともに記録媒体の搬送方向に対して直交する方向に沿って直線状に延在した第２ガイド孔とを備えても良い。この場合、レバー部材の他端部が記録媒体の搬送方向に対して直交する方向に沿って移動することとなるので、この他端部の位置を検知する検知手段が、当該他端部の位置を確実に検知することができる。
【実施例】
【００２３】
以下、本発明の一実施例にかかる情報処理装置の一例としてのＣＤプレーヤ１を、図１ないし図１０に基づいて説明する。図１などに示すＣＤプレーヤ１は、移動体としての自動車のインストルメントパネル（以下、インパネと呼ぶ）などに取り付けられて、記録媒体としての図２に示すＣＤ２を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００２４】
ＣＤプレーヤ１は、図１及び図２に示すように、機器本体３（図１に示す）と、搬送手段としての搬送ユニット５と、クランプ再生手段としてのクランプ再生ユニット６と、ディスク検知機構７と、制御手段としてのμＣＯＭとを備えている。なお、以下、ＣＤ２の表面と搬送ユニット５のＣＤ２の搬送方向（矢印Ｋで示す）との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００２５】
機器本体３は、合成樹脂や金属等からなる図１に示す外側ケース８と、図２に示すシャーシ本体９とを備えている。
【００２６】
外側ケース８は、扁平な箱状に形成されている。外側ケース８の前述したインパネに取り付けると乗員に相対する前面８ａ（図１に示す）には、ＣＤを出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００２７】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２８】
さらに、前述した前面８ａには、表示パネル１１と、各種のスイッチ１２とが設けられている。
【００２９】
表示パネル１１は、前面８ａに露出して、使用者に対し各種の情報を表示する表示領域としての表示面を備えている。表示パネル１１は、表示面に再生中のプログラム名等の情報を表示する。
【００３０】
各種のスイッチ１２は、使用者が操作するための操作部を構成している。スイッチ１２が使用者などに操作されることによって、例えば、クランプ再生ユニット６が再生するＣＤ２のプログラムの選択やＣＤ２の出し入れなどが行われる。
【００３１】
シャーシ本体９は、図２などに示すように、複数の折り曲げられた板金などが互いに取り付けられて構成されている。シャーシ本体９は、図２に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００３２】
搬送ユニット５は、底壁１３に支持されたローラアームと、天井壁１５に取り付けられたディスクガイドと、を備えている。搬送ユニット５は、ローラアームとディスクガイドとの間にＣＤ２を挟みこんで、当該ＣＤ２を矢印Ｋに沿って移動させて、機器本体３に出し入れする。
【００３３】
クランプ再生ユニット６は、互いに一体となってシャーシ本体９に移動自在に設けられたキャリッジシャーシと、クランプアームとを備えている。キャリッジシャーシには、ＣＤ２を回転するための回転テーブル１６（図３、図５、図７ないし図１０に示す）と、ＣＤ２から情報を読み出す図示しない光ピックアップとが取り付けられている。クランプアームは、回転テーブル１６との間にＣＤ２を挟みこむクランパが取り付けられている。
【００３４】
クランプ再生ユニット６は、搬送ユニット５によって機器本体３のシャーシ本体９内に収容されたＣＤ２を回転テーブル１６とクランパとの間に挟みこんで（即ち、クランプして）、回転テーブル１６でＣＤ２を回転させて光ピックアップにより、当該ＣＤ２から情報を読み出す。
【００３５】
ディスク検知機構７は、図３に示すように、一対のレバー部材１７と、一対の検知ピン１８と、案内手段としての案内機構１９と、検知部２０とを備えている。
【００３６】
レバー部材１７は、それぞれ、帯板状に形成され、かつ、挿入口１０の近傍に配置されている。レバー部材１７は、幅方向Ｘ即ち前述した矢印Ｋに対して直交する方向に沿って、互いに間隔をあけて配置され、かつ、それぞれが天井壁１５上に重ねられている。レバー部材１７は、案内機構１９により天井壁１５に移動自在に設けられている。また、一対のレバー部材１７は、付勢手段としてのばね２１により、互いに近づく方向に付勢されている。
【００３７】
検知ピン１８は、円柱状に形成され、かつ一対のレバー部材１７の互いに離れた側の一端部から挿入口１０に向かって立設している。即ち、検知ピン１８は、レバー部材１７に設けられている。検知ピン１８は、機器本体３内に挿入されたＣＤ２の外縁が接触するとともに、機器本体３内から当該機器本体３外に排出するＣＤ２の外縁が接触する。即ち、検知ピン１８は、機器本体３内外に搬送されるＣＤ２の外縁に接触する。
【００３８】
案内機構１９は、図３に示すように、ガイドピン２２と、特許請求の範囲に記載された第２ガイド孔に相当する一対のスライドガイド孔２３と、一対のガイド孔２４と、を備えている。ガイドピン２２は、円柱状に形成され、かつ一対のレバー部材１７の互いに近づいた側の他端部から立設している。
【００３９】
スライドガイド孔２３は、天井壁１５のレバー部材１７が重ねられる箇所（即ち、機器本体３）に設けられ、幅方向Ｘに沿って互いに間隔をあけて配置されている。スライドガイド孔２３は、天井壁１５を貫通している。スライドガイド孔２３は、幅方向Ｘ（即ち、前述した矢印Ｋに対して直交する方向）に沿って直線状に延在している。スライドガイド孔２３には、ガイドピン２２が侵入して、当該ガイドピン２２即ちレバー部材１７を幅方向Ｘに沿って移動自在にする。
【００４０】
ガイド孔２４は、天井壁１５（即ち、機器本体３）に設けられ、幅方向Ｘに沿って互いに間隔をあけて配置されている。また、一対のガイド孔２４は、互いの間にスライドガイド孔２３を位置付ける位置に設けられている。さらに、ガイド孔２４は、天井壁１５を貫通している。ガイド孔２４は、図３に示すように、挿入ガイド孔としての奥側案内部２５と、排出ガイド孔としての外側案内部２６とを備えている。これらの奥側案内部２５及び外側案内部２６は、それぞれ、直線状に延在している。また、奥側案内部２５と外側案内部２６とは、前述した矢印Ｋに沿って並べられており、外側案内部２６が奥側案内部２５よりも機器本体３の外側に配置されている。
【００４１】
奥側案内部２５は、直線状に延在しており、幅方向Ｘに沿って機器本体３の外側に向かうにしたがって徐々に矢印Ｋに沿って機器本体３の奥側に向かうように前述した幅方向Ｘと奥行き方向Ｙとの双方に対して傾斜している。
【００４２】
外側案内部２６は、直線状に延在しており、幅方向Ｘに沿って機器本体３の外側に向かうにしたがって徐々に矢印Ｋに沿って機器本体３の外側に向かうように前述した幅方向Ｘと奥行き方向Ｙとの双方に対して傾斜している。
【００４３】
また、奥側案内部２５と外側案内部２６とが、スライドガイド孔２３寄りの端部が互いに連なった連結部３０をなしているので、ガイド孔２４は、その平面形状がＶ字状に形成されている。このように形成されたガイド孔２４には、検知ピン１８が侵入して、当該検知ピン１８を移動自在にする。
【００４４】
検知部２０は、図３に示すように、一対の初期位置検知用スイッチ２７と、一対の拡大検知用スイッチ２８と、大径ディスク検知用スイッチ２９と、を備えている。これらのスイッチ２７，２８，２９は、それぞれ、天井壁１５に取り付けられており、本体部と当該本体部から凸没自在な接触子とを備えている。
【００４５】
初期位置検知用スイッチ２７は、それぞれ、スライドガイド孔２３の互いに近接した側の端部の近傍に配置されており、ガイドピン２２がスライドガイド孔２３の互いに近接した側の端部内に位置すると、接触子がガイドピン２２から押圧されてオンとなる。また、初期位置検知用スイッチ２７は、ガイドピン２２がスライドガイド孔２３の互いに離れる方向に移動すると、接触子がガイドピン２２から離れてオフとなる。
【００４６】
拡大検知用スイッチ２８は、それぞれ、スライドガイド孔２３の長手方向の中央部の近傍に配置されており、ガイドピン２２がスライドガイド孔２３の中央部内に位置すると、接触子がガイドピン２２から押圧されてオンとなる。また、拡大検知用スイッチ２８は、ガイドピン２２がスライドガイド孔２３の互いに近接した側の端部内に位置すると（即ち、初期位置検知用スイッチ２７がオンとなると）、接触子がガイドピン２２から離れてオフとなる。
【００４７】
大径ディスク検知用スイッチ２９は、一方のガイド孔２４の奥側案内部２５及び外側案内部２６の機器本体３外側に配置されており、一方のガイドピン２２が機器本体３外側に位置すると、接触子がガイドピン２２から押圧されていずれかのスイッチがオンとなる。なお、大径ディスク検知用スイッチ２９は、これに遠い側に位置する拡大検知用スイッチ２８との間隔が小径ディスクの外径（例えば８ｃｍ）以上離れて配置されている。
【００４８】
検知部２０は、前述したスイッチ２７，２８，２９がオン又はオフとなることで、ＣＤ２の位置を検知する。即ち、検知部２０は、初期位置検知用スイッチ２７がオンとなり、拡大検知用スイッチ２８がオフとなることで、ＣＤ２が機器本体３内に挿入されていないか機器本体３内に収容していることを検知する。検知部２０は、初期位置検知用スイッチ２７がオンからオフとなって、拡大検知用スイッチ２８がオフからオンとなった後に、再度、初期位置検知用スイッチ２７がオンとなることで、ＣＤ２が機器本体３に出し入れされたことを検知する。さらに、検知部２０は、ＣＤ２が機器本体３内に挿入されている際に、奥側案内部２５の大径ディスク検知用スイッチ２９がオンとなるとともにこれに遠い側の拡大検知用スイッチ２８がオンとなるときは大径ディスクが挿入されたことを検知し、いずれか一方のみがオンとなるときは小径ディスクが挿入されたことを検知する。
【００４９】
検知部２０は、前述したスイッチ２７，２８，２９のオン又はオフを示す情報をμＣＯＭに向かって出力する。こうして、前述したスイッチ２７，２８，２９即ちディスク検知機構７は、ＣＤ２によって検知ピン１８が押圧されてレバー部材１７が移動して、当該レバー部材１７の位置を検知することで、ＣＤ２が機器本体３内に挿入されたか否か（即ちＣＤ２）を検知する。
【００５０】
μＣＯＭは、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００５１】
μＣＯＭは、搬送ユニット５と、クランプ再生ユニット６などに接続しており、スイッチ１２から入力された命令やＣＤ２が挿入されたことを検知するスイッチ２７，２８の出力に応じて前述した搬送ユニット５及びクランプ再生ユニット６の動作を制御して、ＣＤプレーヤ１全体の制御を司る。
【００５２】
前述した構成のＣＤプレーヤ１は、以下に示すように動作する。なお、ＣＤ２が大径ディスク（例えば外径が１２ｃｍ）の場合の動作として説明する。まず、ＣＤプレーヤ１は、ＣＤ２が機器本体３内に挿入される前（即ち、検知ピン１８にＣＤ２が接触しない際）には、検知ピン１８は、案内部２５，２６同士の連結部３０に位置付けられている。そして、ＣＤ２が機器本体３内に挿入されると、図３に示すように、当該ＣＤ２の外縁が検知ピン１８に接触する。そして、検知ピン１８が、図４中の矢印Ｋ１（ＣＤ２の径方向）に沿って、ＣＤ２の外縁により機器本体３の奥側に向かうにしたがって徐々に幅方向Ｘの外側に向かう方向に押圧される。すると、検知ピン１８が奥側案内部２５内に侵入して、当該奥側案内部２５の機器本体３の幅方向の外側に向かって移動する。このとき、奥側案内部２５は、前述した方向に沿って直線状に延在しているので、機器本体３内に挿入されるＣＤ２によって押圧された検知ピン１８を、一対のレバー部材１７が互いに離れるのにしたがって機器本体３の奥（即ち、ＣＤ２の挿入時の当該ＣＤ２の搬送方向Ｋ）に向かって案内する。
【００５３】
そして、レバー部材１７即ちガイドピン２２の移動によって初期位置検知用スイッチ２７がオンからオフとなると、μＣＯＭが搬送ユニット５の搬送ローラを回転駆動する。その後、図６に示すように、ガイドピン２２がスライドガイド孔２３の中央部に位置し、図５に示すように、拡大検知用スイッチ２８がオンとなってから、ＣＤ２が機器本体３内に収容されるのにしたがって、一旦、レバー部材１７が互いに離れた後に、再度、一対のレバー部材１７が互いに近づく。
【００５４】
そして、ＣＤ２を機器本体３内に収容すると、一対のレバー部材１７が互いに近づいて、初期位置検知用スイッチ２７がオンとなり、μＣＯＭが搬送ユニット５の搬送ローラを停止して、クランプ再生ユニット６でクランプして当該ＣＤから情報を読み出す。このとき、勿論、ＣＤ２の外縁は、検知ピン１８と間隔をあけている。こうして、ＣＤプレーヤ１は、図７に示すように、ＣＤ２をクランプして、当該ＣＤ２の情報を読み出して再生する。
【００５５】
また、機器本体３内からＣＤ２を排出する際には、μＣＯＭがクランプ再生ユニット６のクランプを解除して、搬送ローラを先程と逆向きに回転駆動して、ＣＤ２を機器本体３の外側に向かって移動する。すると、図８に示すように、ＣＤ２の外縁が検知ピン１８に接触する。そして、検知ピン１８が、ＣＤ２の外縁により奥行き方向Ｙに沿って機器本体３の外側に向かうにしたがって徐々に幅方向Ｘの外側に向かう方向に押圧される。すると、検知ピン１８が外側案内部２６内に侵入して、図９に示すように、当該外側案内部２６の機器本体３の幅方向の外側に向かって移動する。
【００５６】
このとき、外側案内部２６は、前述した方向に沿って直線状に延在しているので、機器本体３内に挿入されるＣＤ２によって押圧された検知ピン１８を、一対のレバー部材１７が互いに離れるのにしたがって機器本体３の外（即ち、ＣＤ２の排出時の当該ＣＤ２の搬送方向Ｋ）に向かって案内する。また、検知ピン１８が、外側案内部２６内を移動する際に、初期位置検知用スイッチ２７がオフとなった後に、拡大検知用スイッチ２８がオンとなった後にオフとなる。
【００５７】
その後、ＣＤ２が機器本体３内から排出されるのにしたがって、一旦、レバー部材１７が互いに離れると、機器本体３外側に位置する一方の検知ピン１８によって外側案内部２６の大径ディスク検知用スイッチ２９がオンとなる。その後、さらにＣＤ２が排出されると、図１０に示すように、一対のレバー部材１７が互いに近づいて、大径ディスク検知用スイッチ２９がオフとなり、μＣＯＭが搬送ユニット５の搬送ローラを停止する。こうして、ＣＤプレーヤ１は、ＣＤ２を機器本体３外に排出する。なお、小径ディスクを排出する際は、拡大検出用スイッチ２８がオンからオフとなった後、再度オンになったときに搬送ローラを停止する。
【００５８】
このように、案内機構１９は、ＣＤ２が機器本体３内に挿入されるときと機器本体３外に排出されるときで検知ピン１８を異なる方向へ案内する。また、案内機構１９は、ＣＤ２の挿入と排出の両方において、ＣＤ２によって押圧された検知ピン１８を一対のレバー部材１７が互いに離れるにしたがってＣＤ２の搬送方向Ｋに向かって案内する。
【００５９】
本実施例によれば、機器本体３内にＣＤ２が挿入される際に、当該ＣＤ２によって押圧された検知ピン１８が、一対のレバー部材１７が互いに離れるのにしたがってＣＤ２の搬送方向Ｋに向かって移動することを案内する案内機構１９を設けている。このため、ＣＤ２の検知ピン１８を押す力の方向Ｋ１（図４及び図６中に矢印で示す）と、検知ピン１８が移動する方向（奥側案内部２５の長手方向）とのずれを極力抑制でき、ＣＤ２の検知ピン１８を押す力が、極力、一対のレバー部材１７を互いに離れる方向に移動させるのに作用する。
【００６０】
また、ＣＤプレーヤ１は、機器本体３外にＣＤ２が排出される際に、当該ＣＤ２によって押圧された検知ピン１８が、一対のレバー部材１７が互いに離れるのにしたがってＣＤ２の搬送方向Ｋに向かって移動することを案内する案内機構１９を設けている。このため、ＣＤ２の検知ピン１８を押す力の方向と、検知ピン１８が移動する方向（外側案内部２６の長手方向）とのずれを極力抑制でき、ＣＤ２の検知ピン１８を押す力が、極力、一対のレバー部材１７を互いに離れる方向に移動させるのに作用する。
【００６１】
このため、経年変化によって、レバー部材１７に埃やゴミが付着して当該レバー部材１７が移動しにくくなっても、ＣＤ２の挿入時及び排出時にスムーズにレバー部材１７が移動することができる。よって、経年変化によっても、ＣＤ２を確実に機器本体３に挿入及び排出即ち出し入れすることが可能となる。
【００６２】
さらに、ＣＤ２の挿入または排出の一方の際に検知ピン１８を押す力の方向と検知ピン１８が移動する方向とのずれを抑制しても、他方の際には検知ピン１８が他の方向へと案内されるので、ＣＤ２の搬送方向Ｋに反して検知ピン１８が案内されることがなく、ＣＤ２の挿入又は排出の一方の際にレバー部材１７をスムーズに移動させても他方の際にレバー部材１７が移動しにくくなることがない。
【００６３】
また、本実施例のＣＤプレーヤ１は、案内機構１９が挿入と排出の両方において、ＣＤ２によって押圧された検知ピン１８を一対のレバー部材１７が互いに離れるにしたがって当該ＣＤ２の搬送方向Ｋに向かって案内するようにしている。このため、ＣＤ２を挿入と搬送のいずれの方向に搬送してもＣＤ２の検知ピン１８を押す力が、極力、一対のレバー部材１７を互いに離れる方向に移動させるのに作用するようにすることができる。よって、ＣＤ２の挿入時と排出時のいずれもスムーズにレバー部材１７が移動するので、経年変化によりゴミや埃がレバー部材１７に付着しても、挿入時にユーザがＣＤ２をＣＤプレーヤ１内に押し入れる力が増大したり、排出時にＣＤ２を機器本体３外に排出できなくなったりすることを防止できる。
【００６４】
案内機構１９が、検知ピン１８が侵入するとともに奥側案内部２５と外側案内部２６とを有したガイド孔２４を備えている。このため、ガイド孔２４を設けるといった簡便な構成によって、検知ピン１８の移動方向を確実に案内することができる。
【００６５】
さらに、本実施例では、案内機構１９は、挿入時に検知ピン１８を案内する挿入ガイド孔としての奥側案内部２５と、排出時に検知ピン１８を案内する排出ガイド孔としての外側案内部２６とを有し、検知ピン１８は、ＣＤ２に接触しない際に両者の前記案内部２５，２６の連結部３０に位置している。このため、ＣＤ２が検知ピン１８に接触した際に、その押圧力によって挿入時には奥側案内部２５に、排出時には外側案内部２６に検知ピン１８が入り込むので、例えば検知ピン１８が挿入時に誤って外側案内部２６を移動するという誤動作を防止できる。
【００６６】
また、ＣＤプレーヤ１は、検知ピン１８をレバー部材１７の互いに離れた側の一端部に設け、さらに、案内機構１９が、レバー部材１７の互いに近づいた側の他端部に設けられたガイドピン２２と、当該ガイドピン２２が侵入するとともにＣＤ２の搬送方向Ｋに対して直交する方向に沿って直線状に延在したスライドガイド孔２３とを備えている。このため、レバー部材１７の他端部がＣＤ２の移動方向に対して直交する方向に沿って移動することとなるので、この他端部の位置を検知する検知手段としての前述したスイッチ２７，２８が、当該他端部すなわちレバー部材１７の位置を確実に検知することができる。
【００６７】
前述した実施例では、案内機構１９のガイド孔２４が奥側案内部２５と外側案内部２６との双方を備えている。しかしながら、本発明では、ガイド孔２４が奥側案内部２５と外側案内部２６とのうち少なくとも一方を備えていれば良い。即ち、本発明では、案内機構１９は、ＣＤ２が機器本体３内に挿入されるときと機器本体３外に排出されるときで検知ピン１８を異なる方向へ案内するとともに、少なくともＣＤ２の挿入又は排出のいずれかにおいて、ＣＤ２によって押圧された検知ピン１８を一対のレバー部材１７が互いに離れるにしたがってＣＤ２の搬送方向Ｋに向かって案内すれば良い。また、本発明では、ガイド孔２４が検知ピン１８を通して、当該検知ピン１８を直接案内することなく、検知ピン１８と別体に設けられたピンなどをガイド孔２４内に通して、検知ピン１８を間接的に案内しても良い。
【００６８】
前述した実施例によれば、以下のＣＤプレーヤ１が得られる。
【００６９】
（付記）  機器本体３に互いに接離自在に設けられかつ互いに近づく方向に付勢された一対のレバー部材１７と、
前記レバー部材１７の各々に設けられかつ前記機器本体３内外に搬送されるＣＤ２の外縁に接触する検知ピン１８と、
前記レバー部材１７の移動方向を案内する案内機構１９と、を備えて、前記ＣＤ２によって前記検知ピン１８が押圧されて前記レバー部材１７が移動することで、前記ＣＤ２を検知するディスク検知機構７を備えたＣＤプレーヤ１において、
前記案内機構１９は、前記ＣＤ２が前記機器本体３内に挿入されるときと前記機器本体３外に排出されるときで前記検知ピン１８を異なる方向へ案内するとともに、少なくとも前記ＣＤ２の挿入又は排出のいずれかにおいて、前記ＣＤ２によって押圧された前記検知ピン１８を前記一対のレバー部材１７が互いに離れるにしたがって前記ＣＤ２の搬送方向Ｋに向かって案内することを特徴とするＣＤプレーヤ１。
【００７０】
付記によれば、機器本体３内外にＣＤ２が搬送される際に、当該ＣＤ２によって押圧された検知ピン１８が、一対のレバー部材１７が互いに離れるのにしたがってＣＤ２の搬送方向Ｋに向かって移動することを案内する案内機構１９を設けている。このため、ＣＤ２の検知ピン１８を押す力の方向Ｋ１（図４及び図６中に矢印で示す）と、検知ピン１８が移動する方向（奥側案内部２５の長手方向）とのずれを極力抑制でき、ＣＤ２の検知ピン１８を押す力が、極力、一対のレバー部材１７を互いに離れる方向に移動させるのに作用する。
【００７１】
このため、経年変化によって、レバー部材１７に埃やゴミが付着して当該レバー部材１７が移動しにくくなっても、ＣＤ２の挿入及び排出時にスムーズにレバー部材１７が移動することができる。よって、経年変化によっても、ＣＤ２を確実に機器本体３に挿入即ち出し入れすることが可能となる。さらに、ＣＤ２の挿入または排出の一方の際に検知ピン１８を押す力の方向と検知ピン１８が移動する方向とのずれを抑制しても、他方の際には検知ピン１８が他の方向へと案内されるので、ＣＤ２の搬送方向Ｋに反して検知ピン１８が案内されることがなく、ＣＤ２の挿入又は排出の一方の際にレバー部材１７をスムーズに移動させても他方の際にレバー部材１７が移動しにくくなることがない。
【００７２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００７３】
【図１】本発明の一実施例にかかるＣＤプレーヤの斜視図である。
【図２】図１に示されたＣＤプレーヤのシャーシ本体及びクランプ再生ユニットなどを示す斜視図である。
【図３】図１に示されたＣＤプレーヤのディスク検知機構の説明図である。
【図４】図３中のＩＶ部を拡大して示す説明図である。
【図５】図３に示されたＣＤが機器本体の奥に挿入された状態を示す説明図である。
【図６】図５中のＶＩ部を拡大して示す説明図である。
【図７】図５に示されたＣＤを機器本体内に収容した状態を示す説明図である。
【図８】図７に示されたＣＤが機器本体外に排出され始めた状態を示す説明図である。
【図９】図８に示されたＣＤが機器本体外に移動されてレバー部材が互いに最も離れた状態を示す説明図である。
【図１０】図９に示されたＣＤが機器本体外により移動された状態を示す説明図である。
【符号の説明】
【００７４】
１  ＣＤプレーヤ（情報処理装置）
２  ＣＤ（記録媒体）
３  機器本体
７  ディスク検知機構
１７  レバー部材
１８  検知ピン
１９  案内機構（案内手段）
２２  ガイドピン
２３  スライドガイド孔（第２ガイド孔）
２４  ガイド孔
２５  奥側案内部（挿入ガイド孔）
２６  外側案内部（排出ガイド孔）
３０  連結部
Ｋ  搬送方向
【図１】
2009295258.tif 000003
【図２】
2009295258.tif 000004
【図３】
2009295258.tif 000005
【図４】
2009295258.tif 000006
【図５】
2009295258.tif 000007
【図６】
2009295258.tif 000008
【図７】
2009295258.tif 000009
【図８】
2009295258.tif 000010
【図９】
2009295258.tif 000011
【図１０】
2009295258.tif 000012